(57)【要約】【課題】接点バネの溶接作業を不要とし、製造・組立作業を容易にすることが可能な温度スイッチを提供すること。【解決手段】第１ターミナルと、第１ターミナルに対して離間・配置された第２ターミナルと、第１ターミナルと第２ターミナルとの間に配置され開口部を備え予め設定された設定温度にて反転する反転バネと、反転バネと第２ターミナルの間に固定されることなく配置され一体に備えた接点部を開口部を介して突出・配置させて第１ターミナルに接触させると共に外周部を第２ターミナルに接触させることにより第１ターミナル側と第２ターミナル側を電気的に導通させる接点バネとを具備し、設定温度にて反転バネが反転することによって接点バネの接点部が第１ターミナルより離間する方向に付勢されて電気的導通を遮断するようにしたもの。【選択図】  図１
2005026126.tif 000002
【特許請求の範囲】
【請求項１】
第１ターミナルと、
上記第１ターミナルに対して離間・配置された第２ターミナルと、
上記第１ターミナルと第２ターミナルとの間に配置され開口部を備え予め設定された設定温度にて反転する反転バネと、
上記反転バネと第２ターミナルの間に固定されることなく配置され一体に備えた接点部を上記開口部を介して突出・配置させて上記第１ターミナルに接触させると共に外周部を上記第２ターミナルに接触させることにより上記第１ターミナル側と第２ターミナル側を電気的に導通させる接点バネと、
を具備し、
設定温度にて上記反転バネが反転することによって上記接点バネの接点部が第１ターミナルより離間する方向に付勢されて電気的導通を遮断するようにしたことを特徴とする温度スイッチ。
【請求項２】
請求項１記載の温度スイッチにおいて、
上記第２ターミナルは筐体にインサート成形法により組み込まれていて、上記第１ターミナルは上記筐体の開口部を閉塞する蓋体にインサート成形法により組み込まれていることを特徴とする温度スイッチ。
【請求項３】
筐体内に接点バネと反転バネを固定することなく重ねて載置する工程と、
上記筐体の開口部を蓋体によって閉塞する工程と、
を具備したことを特徴とする温度スイッチの組立方法。
【請求項４】
請求項３記載の温度スイッチの組立方法において、
上記筐体には第２ターミナルがインサート成形法により予め組み込まれており、
同様に、上記蓋体には第１ターミナルがインサート成形法により予め組み込まれていることを特徴とする温度スイッチの組立方法。
【発明の詳細な説明】
【０００１】
【発明が属する技術分野】
本発明は、例えば、電子回路用として使用される温度スイッチとそれを組み立てる温度スイッチの組立方法に係り、特に、接点バネのベースに対する溶接作業を不要とすることにより製造・組立作業を容易にすることができるように工夫したものに関する。
【０００２】
【従来の技術】
電子回路用として使用されている温度スイッチは、例えば、図２に示すような構成になっている。図２（ａ）は、温度スイッチの全体の構成を示す平面図であり、図２（ｂ）は図２（ａ）のｂ−ｂ断面図である。
まず、筐体１０１があり、この筐体１０１は有底容器状をなしていて、底板１０３と、側壁１０５とから構成されている。上記筐体１０１の上方開口部１０７は蓋体１０９によって閉塞されている。
尚、図２（ａ）では内部構造を明確にするために蓋体１０９の図示を省略している。
【０００３】
上記筐体１０１内には左右方向からターミナル１１１、１１３が夫々挿入・配置されている。
【０００４】
上記筐体１０１内には接点バネ１１５が収容・配置されていて、該接点バネ１１５はその一端（図中左端）を、筐体１０１の底板１０３より突設された突起部１１７に係止させ、その状態で溶接・固定されている。又、上記接点バネ１１５の他端（図中右端）であって下面には接点部１１９が設けられている。
【０００５】
上記筐体１０１内であって上記接点バネ１１５の下側には反転バネ１２１が収容・配置されている。この反転バネ１２１は、いわゆる「バイメタル」として構成されているものである。
【０００６】
上記構成によると、温度スイッチは常時は図２（ｂ）に示すような状態にあり、すなわち、接点バネ１１５の接点部１１９がターミナル１１３に接触している。又、接点バネ１１５の一端はターミナル１１１に接触している。したがって、ターミナル１１１側とターミナル１１３側が電気的に導通した状態にある。
【０００７】
これに対して、環境温度が予め設定された設定温度に達すると、反転バネ１２１が、図中仮想線で示すように反転して、上記接点バネ１１５を上方に押し上げる。それによって、接点バネ１１５の接点部１１９がターミナル１１３から離間し、ターミナル１１１側とターミナル１１３側の電気的導通が遮断される。
尚、一旦上昇した温度が下がることにより反転バネ１２１が元の形状に復帰し、それによって、ターミナル１１１側とターミナル１１３側が電気的に再度導通した状態になる。
【０００８】
【発明が解決しようとする課題】
上記従来の構成によると次のような問題があった。
すなわち、従来の構成の場合には、接点バネ１１５の一端を筐体１０１の底板１０３側に溶接・固定するようにしており、組立作業が面倒であるという問題があった。特に、接点バネ１１５の下側に反転バネ１２１を差し入れた後に溶接作業を行う必要があり、作業性も悪かった。
【０００９】
本発明はこのような点に基づいてなされたものでその目的とするところは、接点バネの溶接作業を不要とし、製造・組立作業を容易にすることが可能な温度スイッチとそれを組み立てる温度スイッチの組立方法を提供することにある。
尚、本願発明と直接関連するものではないが、この種の温度スイッチを開示するものとして、例えば、特許文献１に示すようなものがある。これは本件特許出願人によるものである。
【００１０】
【特許文献１】
特開平１０−２１８０５号公報
【００１１】
【課題を解決するための手段】
上記課題を解決するべく本願発明の請求項１による温度スイッチは、第１ターミナルと、上記第１ターミナルに対して離間・配置された第２ターミナルと、上記第１ターミナルと第２ターミナルとの間に配置され開口部を備え予め設定された設定温度にて反転する反転バネと、上記反転バネと第２ターミナルの間に固定されることなく配置され一体に備えた接点部を上記開口部を介して突出・配置させて上記第１ターミナルに接触させると共に外周部を上記第２ターミナルに接触させることにより上記第１ターミナル側と第２ターミナル側を電気的に導通させる接点バネと、を具備し、設定温度にて上記反転バネが反転することによって上記接点バネの接点部が第１ターミナルより離間する方向に付勢されて電気的導通を遮断するようにしたことを特徴とするものである。
又、請求項２による温度スイッチは、請求項１記載の温度スイッチにおいて、上記第２ターミナルは筐体にインサート成形法により組み込まれていて、上記第１ターミナルは上記筐体の開口部を閉塞する蓋体にインサート成形法により組み込まれていることを特徴とするものである。
又、請求項３による温度スイッチの組立方法は、筐体内に接点バネと反転バネを固定することなく重ねて載置する工程と、上記筐体の開口部を蓋体によって閉塞する工程と、を具備したことを特徴とするものである。
又、請求項４による温度スイッチの組立方法は、請求項３記載の温度スイッチの組立方法において、上記筐体には第２ターミナルがインサート成形法により予め組み込まれており、同様に、上記蓋体には第１ターミナルがインサート成形法により予め組み込まれていることを特徴とするものである。
【００１２】
つまり、本願発明による温度スイッチは、第１ターミナルと、上記第１ターミナルに対して離間・配置された第２ターミナルと、上記第１ターミナル及び第２ターミナルの間に配置され開口部を備え予め設定された設定温度にて反転する反転バネと、上記反転バネと第２ターミナルの間に固定されることなく配置され一体に備えた接点部を上記開口部を介して突出・配置させて上記第１ターミナルに接触させると共に外周部を上記第２ターミナルに接触させた接点バネと、を具備し、設定温度にて上記反転バネが反転することによって上記接点バネの接点部が第１ターミナルより離間する方向に付勢されることにより導通を遮断するようにしたものであり、このように構成することによって、従来必要であった接点バネの溶接作業が不要になり、それによって、製造・組立作業の容易化を図ることができるものである。
又、上記第２ターミナルを筐体にインサート成形法により組み込むと共に、上記第１ターミナルを上記筐体の開口部を閉塞する蓋体にインサート成形法により組み込むようにすることにより、組立時における部品点数がさらに減少するので、製造・組立作業の容易化をさらに効果的に図ることができる。
又、請求項３による温度スイッチの組立方法は、筐体内に接点バネと反転バネを固定することなく重ねて載置する工程と、上記筐体の開口部を蓋体によって閉塞する工程と、を具備したものであり、そのような組立方法とすることにより、組立作業が容易になると共に自動化に対して効果的に対応可能になる。
又、その際、上記筐体には第２ターミナルがインサート成形法により予め組み込まれており、同様に、上記蓋体には第１ターミナルがインサート成形法により予め組み込まれていることが考えられ、それによって、組立作業がさらに容易になると共に自動化に対して効果的に対応可能になる。
【００１３】
【発明の実施の形態】
以下、図１を参照して本発明の一実施の形態を説明する。図１（ａ）は本実施の形態による温度スイッチの全体の構成を示す平面図であり、図１（ｂ）は図１（ａ）のｂ−ｂ断面図である。
まず、筐体１があり、この筐体１は有底容器状をなしていて、底板３と、側壁５とから構成されている。上記筐体１の上部開口部７は蓋体９によって閉塞されている。
尚、図１（ａ）では蓋体９の一部を切り欠いて示している。
【００１４】
上記筐体１の底板３には第２ターミナル１１がインサート成形法によって一体に組み込まれている。一方、上記蓋体９側にも別の第１ターミナル１３がインサート成形法によって一体に組み込まれている。又、上記筐体１内には接点バネ１５が内装されている。この接点バネ１５の中央部には接点部１７が設けられている。又、上記接点バネ１５の上方には反転バネ１９が内装されている。この反転バネ１９はバイメタルとして構成されている。上記反転バネ１９の中央部には開口部２１が形成されている。上記接点バネ１５と反転バネ１９は、溶接等によって固定されることなく配置されている。
【００１５】
そして、既に説明した接点バネ１５の外周部下面は第２ターミナル１１に接触している。又、接点バネ１５の接点部１７は、上記反転バネ１９の開口部２１を介して上方に突出・配置されていて、第１ターミナル１３に接触している。
【００１６】
以上の構成を基にその作用を説明する。
温度スイッチは常時は図１（ｂ）に示すような状態にあり、すなわち、接点バネ１５の接点部１７が第１ターミナル１３に接触している。又、接点バネ１１５の外周下面は第２ターミナル１１に接触している。したがって、第２ターミナル１１側と第１ターミナル１３側が電気的に導通した状態にある。
【００１７】
これに対して、環境温度が予め設定された設定温度に達すると、反転バネ１９が、図中仮想線で示すように反転して、上記接点バネ１５を下方に押し下げる。それによって、接点バネ１５の接点部１７が第１ターミナル１３から離間し、その結果、第２ターミナル１１側と第１ターミナル１３側の電気的導通が遮断される。
又、一旦上昇した温度が下がることにより、上記反転バネ１９は元の形状に復帰し、それによって、第２ターミナル１１側と第１ターミナル１３側が再度電気的に導通した状態になる。
【００１８】
以上本実施の形態によると次のような効果を奏することができる。
まず、温度スイッチの製造・組立作業が容易になる。これは、従来のような接点バネの溶接が不要になったからであり、本実施の形態における接点バネ１５は、単に筐体１内に載置されるだけで良くなったからである。
それによって、製造・組立に要する時間の短縮と労力の軽減を図ることができ、製造コストの低減を図ることができる。
又、この実施の形態の場合に第２ターミナル１１が筐体１にインサート成形法によって一体化され、同時に、第１ターミナル１３も蓋体９にインサート成形法によって一体化されているので、組立時の部品点数はその分減少しており、よって、それによっても製造・組立作業の容易化を図ることができるものである。
又、温度スイッチを組み立てる場合も、予め第２ターミナル１１を筐体１にインサート成形法によって一体化しておき、又、第１ターミナル１３も蓋体９にインサート成形法によって一体化しておけば、後は、筐体１内に接点バネ１５と反転バネ１９を重ねて配置して蓋体９によって閉じれば良く、極めて簡単であり、これを自動化する場合にも容易に対応することができる。
【００１９】
尚、本発明は前記一実施の形態に限定されるものではない。
例えば、前記一実施の形態では、第２ターミナル１１を筐体１にインサート成形法によって一体化し、同時に、第１ターミナル１３も蓋体９にインサート成形法によって一体化したが、そのような構成に限定されるものではない。
その他各部の形状等は図示したものに限定されず様々なものが考えられるものである。
【００２０】
【発明の効果】
以上詳述したように本発明による温度スイッチによると、まず、第１ターミナルと、上記第１ターミナルに対して離間・配置された第２ターミナルと、上記第１ターミナル及び第２ターミナルの間に配置され開口部を備え予め設定された設定温度にて反転する反転バネと、上記反転バネと第２ターミナルの間に固定されることなく配置され一体に備えた接点部を上記開口部を介して上方に突出・配置させて上記第１ターミナルに接触させると共に外周部を上記第２ターミナルに接触させた接点バネと、を具備し、設定温度にて上記反転バネが反転することによって上記接点バネの接点部が第１ターミナルより離間する方向に付勢されることにより導通を遮断するように構成したので、従来必要であった接点バネの溶接作業が不要になり、それによって、製造・組立作業の容易化を図ることができる。
又、第２ターミナルを筐体にインサート成形法により組み込むと共に、第１ターミナルを上記筐体の開口部を閉塞する蓋体にインサート成形法により組み込むようにした場合には、組立時における部品点数がさらに減少するので、製造・組立作業の容易化をさらに効果的に図ることができる。
又、本願発明による温度スイッチの組立方法によると、組立作業が容易になると共に自動化に対して効果的に対応可能になる。
又、筐体には第２ターミナルをインサート成形法により予め組み込み、同様に、蓋体に第１ターミナルをインサート成形法により予め組み込んでおけば、さらに効率的な組立が可能になる。
【図面の簡単な説明】
【図１】本発明の一実施の形態を示す図で、図１（ａ）は温度スイッチの構成を示す平面図、図１（ｂ）は図１（ａ）のｂ−ｂ断面図である。
【図２】従来例を示す図で、図１（ａ）は温度スイッチの構成を示す平面図、図１（ｂ）は図１（ａ）のｂ−ｂ断面図である。
【符号の説明】
１  筐体
９  蓋体
１１  第２ターミナル
１３  第１ターミナル
１５  接点バネ
１７  接点部
１９  反転バネ
２１  開口部
【図１】
2005026126.tif 000003
【図２】
2005026126.tif 000004